(57)【要約】【課題】  温度により表示される認証情報を用いた認証装置において認証時のセキュリティを向上させることが可能な認証装置等を提供することにある。【解決手段】  認証装置は、第１認証コードと第２認証コードの組合せの表示が温度領域ごとに変化する示温認証情報が印刷された認証情報媒体がある温度で表示する示温認証情報を取得し、かつ、前記温度領域ごとに変化する示温認証情報を、前記認証情報媒体ごとに格納するデータベースから、前記認証情報媒体に関連する前記ある温度における示温認証情報を取得する取得部と、前記認証情報媒体が前記ある温度で表示する示温認証情報と、前記データベースから取得した前記ある温度における示温認証情報を照合する照合部と、を備える。【選択図】  図１
2020135789.tif 000002
【特許請求の範囲】
【請求項１】
第１認証コードと第２認証コードの組合せの表示が温度領域ごとに変化する示温認証情報が印刷された認証情報媒体がある温度で表示する示温認証情報を取得し、かつ、前記温度領域ごとに変化する示温認証情報を、前記認証情報媒体ごとに格納するデータベースから、前記認証情報媒体に関連する前記ある温度における示温認証情報を取得する取得手段と、
前記認証情報媒体が前記ある温度で表示する示温認証情報と、前記データベースから取得した前記ある温度における示温認証情報を照合する照合手段と、
を備える認証装置。
【請求項２】
第１認証コードの表示が温度領域ごとに変化する示温認証情報が印刷された認証情報媒体がある温度で表示する示温認証情報、及び、前記ある温度を表す温度情報を取得し、かつ、前記第１認証コードの表示が温度領域ごとに変化する示温認証情報を、前記認証情報媒体ごとに格納するデータベースから、前記認証情報媒体に関連し、前記温度情報に対応する前記ある温度における示温認証情報を取得する取得手段と、
前記認証情報媒体が前記ある温度で表示する示温認証情報と、前記データベースから取得した前記ある温度の示温認証情報を照合する照合手段と、
を備える認証装置。
【請求項３】
前記認証情報媒体に印刷される示温認証情報は、前記温度領域ごとに、少なくとも１つの模様、文字、図形、記号、及び、色彩を用いて構成される、
請求項１または２に記載の認証装置。
【請求項４】
前記示温認証情報は、異なる温度領域の前記第１認証コードの集合を複数含み、前記集合内で前記第１認証コードが互いに異なる、
請求項１乃至３のいずれか１つに記載の認証装置。
【請求項５】
認証装置と通信可能に接続される情報処理端末であって、
第１認証コードと第２認証コードの組合せの表示が温度領域ごとに変化する示温認証情報が印刷された認証情報媒体が、ある温度で表示する示温認証情報を、前記認証装置に送信するために受付ける情報入力手段と、
前記認証装置が送信した、前記ある温度で表示する示温認証情報を照合した結果を出力する出力手段と、を備え、
前記認証装置は、前記温度領域ごとに変化する示温認証情報を前記認証情報媒体ごとに格納するデータベースを参照して、前記認証情報媒体で前記ある温度で表示する示温認証情報を照合する、
情報処理端末。
【請求項６】
前記情報処理端末は、前記認証情報媒体の温度を測定する温度センサーを更に備え、
前記測定された温度を温度情報として送信する、
請求項５に記載の情報処理端末。
【請求項７】
情報処理端末と、前記情報処理端末と通信可能に接続された認証装置を備える認証システムであって、
前記認証装置は、
第１認証コードと第２認証コードの組合せの表示が温度領域ごとに変化する示温認証情報が印刷された認証情報媒体がある温度で表示する示温認証情報を取得し、かつ、前記第１認証コードと前記第２認証コードの組合せの表示が温度領域ごとに変化する示温認証情報を、前記認証情報媒体ごとに格納するデータベースから、前記認証情報媒体に関連する前記ある温度における示温認証情報を取得する取得手段と、
前記認証情報媒体が前記ある温度で表示する示温認証情報と、前記データベースから取得した前記ある温度における示温認証情報を照合する照合手段と、を備え、
前記情報処理端末は、
前記認証情報媒体が前記ある温度で表示する示温認証情報を受付ける情報入力手段と、
前記認証装置による照合した結果を出力する出力手段と、を備える、
認証システム。
【請求項８】
前記情報処理端末は、前記認証情報媒体の温度を変更する温度制御装置を更に備え、
前記取得手段は、前記温度制御装置が前記認証情報媒体の温度を変更するための指示を前記情報処理端末に送信する、
請求項７に記載の認証システム。
【請求項９】
第１認証コードと第２認証コードの組合せの表示が温度領域ごとに変化する示温認証情報が印刷された認証情報媒体がある温度で表示する示温認証情報を取得し、かつ、前記第１認証コードと前記第２認証コードの組合せの表示が温度領域ごとに変化する示温認証情報を、前記認証情報媒体ごとに格納するデータベースから、前記認証情報媒体に関連する前記ある温度における示温認証情報を取得し、
前記認証情報媒体が前記ある温度で表示する示温認証情報と、前記データベースから取得した前記ある温度における示温認証情報を照合する、認証方法。
【請求項１０】
第１認証コードと第２認証コードの組合せの表示が温度領域ごとに変化する示温認証情報が印刷された認証情報媒体がある温度で表示する示温認証情報を取得し、かつ、前記第１認証コードと前記第２認証コードの組合せの表示が温度領域ごとに変化する示温認証情報を、前記認証情報媒体ごとに格納するデータベースから、前記認証情報媒体に関連する前記ある温度における示温認証情報を取得する処理と、
前記認証情報媒体が前記ある温度で表示する示温認証情報と、前記データベースから取得した前記ある温度における示温認証情報を照合する処理と、
をコンピュータに実行させるプログラム。
【発明の詳細な説明】
【技術分野】
【０００１】
本開示は、温度によって表示される認証情報を用いた認証装置等に関する。
【背景技術】
【０００２】
クレジットカードの偽造、何らかの方法により漏洩したカード番号の利用など、カードの不正利用による損害額は多大なものとなっている。現状でも、店頭取引では、カードにＩＣチップを搭載し暗証番号を顧客に入力させることで不正利用を防止している。しかしながら、偽造技術も進化する中で偽造ＩＣカードが作成されうる。また、オンライン決済おいて、カードに印刷されたセキュリティコードをカード番号と合わせて入力させるといった対策が取られている。しかしデータ管理に不備のあるオンラインショッピングサイトから、悪意のある第三者にセキュリティコードが漏洩する事例もある。よって更なる不正利用対策が必要である。
【０００３】
特許文献１−３には、カード等の偽造防止技術が開示されている。特許文献１−３の偽造防止技術は、加熱時に表示される情報の有無によりカードの真偽を判定している。特許文献４に開示されている技術によれば、人の体温で温めると認証用符号が視認可能になるため、利用者が認証カードを所持していることが判定できる。
【先行技術文献】
【特許文献】
【０００４】
【特許文献１】特開２０１４−１８２４５５号公報
【特許文献２】特開平０４−３０３６７８号公報
【特許文献３】特開２００４−２６２０１５号公報
【特許文献４】特開２００４−３６２３２９号公報
【発明の概要】
【発明が解決しようとする課題】
【０００５】
特許文献１−４では、非加熱時に認証情報を表示せず、加熱によって認証情報を表示させることで認証情報の秘匿性を高めているが、認証時のセキュリティの向上のために、温度によって表示される認証情報の更なる活用が求められている。
【０００６】
本開示の目的は、温度によって表示される認証情報を用いた認証装置において認証時のセキュリティを向上させることが可能な認証装置等を提供することにある。
【課題を解決するための手段】
【０００７】
本開示に係る認証装置は、第１認証コードと第２認証コードの組合せの表示が温度領域ごとに変化する示温認証情報が印刷された認証情報媒体がある温度で表示する示温認証情報を取得し、かつ、前記温度領域ごとに変化する示温認証情報を、前記認証情報媒体ごとに格納するデータベースから、前記認証情報媒体に関連する前記ある温度における示温認証情報を取得する取得部と、前記認証情報媒体が前記ある温度で表示する示温認証情報と、前記データベースから取得した前記ある温度における示温認証情報を照合する照合部と、を備える。
【０００８】
本開示に係る認証方法は、第１認証コードと第２認証コードの組合せの表示が温度領域ごとに変化する示温認証情報が印刷された認証情報媒体がある温度で表示する示温認証情報を取得し、かつ、前記第１認証コードと前記第２認証コードの組合せの表示が温度領域ごとに変化する示温認証情報を、前記認証情報媒体ごとに格納するデータベースから、前記認証情報媒体に関連する前記ある温度における示温認証情報を取得し、前記認証情報媒体が前記ある温度で表示する示温認証情報と、前記データベースから取得した前記ある温度における示温認証情報を照合する。
【０００９】
本開示に係るプログラムは、第１認証コードと第２認証コードの組合せの表示が温度領域ごとに変化する示温認証情報が印刷された認証情報媒体がある温度で表示する示温認証情報を取得し、かつ、前記第１認証コードと前記第２認証コードの組合せの表示が温度領域ごとに変化する示温認証情報を、前記認証情報媒体ごとに格納するデータベースから、前記認証情報媒体に関連する前記ある温度における示温認証情報を取得する処理と、前記認証情報媒体が前記ある温度で表示する示温認証情報と、前記データベースから取得した前記ある温度における示温認証情報を照合する処理と、をコンピュータに実行させる。
【００１０】
本開示に係る情報処理端末は、認証装置と通信可能に接続される情報処理端末であって、第１認証コードと第２認証コードの組合せの表示が温度領域ごとに変化する示温認証情報が印刷された認証情報媒体がある温度で表示する示温認証情報を、前記認証装置に送信するために受付ける情報入力部と、前記認証装置が送信した、前記温度で表示する示温認証情報を照合の結果を出力する出力部と、を備え、前記認証装置は、前記温度領域ごとに変化する示温認証情報を前記認証情報媒体ごとに格納するデータベースを参照して、前記認証情報媒体で前記ある温度で表示する示温認証情報を照合する。
【００１１】
本開示に係る認証システムは、情報処理端末と、前記情報処理端末と通信可能に接続された認証装置を備える認証システムであって、前記認証装置は、第１認証コードと第２認証コードの組合せの表示が温度領域ごとに変化する示温認証情報が印刷された認証情報媒体がある温度で表示する示温認証情報を取得し、かつ、前記第１認証コードと前記第２認証コードの組合せの表示が温度領域ごとに変化する示温認証情報を、前記認証情報媒体ごとに格納するデータベースから、前記認証情報媒体に関連する前記ある温度における示温認証情報を取得する取得部と、前記認証情報媒体が前記ある温度で表示する示温認証情報と、前記データベースから取得した前記ある温度における示温認証情報を照合する照合部と、を備え、前記情報処理端末は、前記認証情報媒体が前記ある温度で表示する示温認証情報を受付ける情報入力部と、前記認証装置による照合した結果を出力する出力部と、を備える。
【発明の効果】
【００１２】
本開示によれば、温度によって表示される認証情報を用いた認証装置において認証時のセキュリティを向上させることが可能となる。
【図面の簡単な説明】
【００１３】
【図１】第１実施形態における認証システムの構成を示すブロック図である。
【図２Ａ】第１実施形態において認証サーバが認証するクレジットカードの表面の例を示す図である。
【図２Ｂ】第１実施形態において認証サーバが認証するクレジットカードの裏面の例を示す図である。
【図２Ｃ】第１実施形態における温度領域と認証コード１との関係を示す表図である。
【図３】示温認証情報の認証コード１を入力するための入力画面を示す図である。
【図４】示温認証情報の認証コード２を入力するための入力画面を示す図である。
【図５】データベースに格納される一般認証情報の例を示す表図である。
【図６】データベースに格納される示温認証情報の例を示す表図である。
【図７】データベースに格納されるカード番号と色ＩＤとの関連付けを示す表図である。
【図８】第１実施形態における認証システムの動作を示すフローチャートである。
【図９】クレジットカードの認証情報を入力する入力画面を示す図である。
【図１０】情報処理端末が受信した認証結果の出力画面を示す図である。
【図１１】情報処理端末が受信した認証結果の出力画面を示す図である。
【図１２】第２実施形態で用いるクレジットカードに示温インクで印刷する印刷パターンを示す図である。
【図１３】データベースに格納される示温認証情報の例を示す表図である。
【図１４】第３実施形態で用いるクレジットカードに示温インクで印刷する印刷パターンを示す図である。
【図１５】第３実施形態のデータベースに格納される示温認証情報の一例を示す図である。
【図１６】第４実施形態の情報処理端末の構成の一例を示すブロック図である。
【図１７】第４実施形態のデータベースに格納された示温認証情報の一例を示す図である。
【図１８】第４実施形態のデータベースに格納された示温認証情報の一例を示す図である。
【図１９】第４実施形態における認証システムの動作を示すフローチャートである。
【図２０】第４実施形態の情報処理端末における入力画面を示す図である。
【図２１】第５実施形態における情報処理端末の構成の一例を示すブロック図である。
【図２２】第５実施形態における認証システムの動作の一例を示すフローチャートである。
【図２３】コンピュータのハードウェア構成の例を示すブロック図である。
【発明を実施するための形態】
【００１４】
図面を参照して、実施形態の一態様である認証装置について詳しく説明する。以下の実施形態は、認証装置をクレジットカードの認証サーバに適用した例である。ただし、実施形態に記載されている構成要素は例示であり、本実施形態の技術範囲をそれらに限定する趣旨のものではない。
＜第１実施形態＞
第１実施形態における認証サーバ、および、認証サーバを含む認証システムについて図面を用いて説明する。
【００１５】
＜認証システム＞
図１は、第１実施形態における認証システムの構成を示すブロック図である。認証システムは、情報処理端末３０、認証サーバ５０およびデータベース６０を備える。認証サーバ５０は、情報処理端末３０およびデータベース６０と通信可能に接続されている。認証サーバ５０は、クレジットカードを認証する認証サーバであり、オーソリサーバとも呼ばれる。
【００１６】
＜カード＞
第１実施形態の認証サーバ５０がカード認証するクレジットカードについて説明する。通常、クレジットカードでは、カード認証するための認証情報がカードに記録されている。例えば、カード番号、有効期限、氏名、セキュリティコードなどの認証情報が、カード表面又は裏面への印刷、エンボス加工、あるいは、記録媒体（磁気テープ又はＩＣタグ）への書き込みによって記録されている。以下、明細書の説明において、カード番号、有効期限、カード暗証番号のような一般的なクレジットカードのカード認証に用いる認証情報を一般認証情報と呼ぶ。
【００１７】
第１実施形態の認証サーバ５０では、クレジットカードに記録された一般認証情報に加え、示温認証情報を用いたカード認証が行われる。図２Ａ及び図２Ｂは、第１実施形態において認証サーバが認証するクレジットカードの例を示す図である。図２Ａに示すクレジットカード１０の表面には一般認証情報が記録され、図２Ｂに示すカード裏面には一般認証情報および示温認証情報が記録されている。示温認証情報とは、温度によって認証情報の表示が変化する情報である。示温認証情報は、例えば、示温インクで印刷することでカードに付与することができる。図２Ｂに示すカード裏面には、示温認証情報として認証コード１および認証コード２が印刷される。
【００１８】
認証コード１は、温度によって異なる数字が表示される。例えば、温度特性が異なる示温インクを用いて数字の「１」、「２」「３」が印刷される。図２Ｂの裏面に示す認証コード１の「１」は、クレジットカード１０の温度Ｔが１５℃未満で発色し、１５℃以上で消色する示温インクで印刷される。温度Ｔが１５℃未満で認証コードの「１」が視認可能になり、１５℃以上で認証コードの「１」は視認できなくなる。認証コード１の「２」は、クレジットカード１０の温度Ｔが１５℃以上２５℃未満で発色し、１５℃未満あるいは２５℃以上で消色する示温インクで印刷される。また、認証コード１の「３」は、２５℃以上で発色し、２５℃未満で消色する示温インクで印刷される。図２Ｃは温度領域と認証コード１との関係を示す表図である。
【００１９】
認証コード２は、温度によって異なる色が表示される。温度特性が異なる示温インクを用いて「黄」、「緑」、「青」の色が印刷される。例えば、図２Ｂの裏面に示す認証コード２は、クレジットカード１０の温度Ｔが、１５℃未満で黄色、１５℃以上２５℃未満で緑色、２５℃以上で青色となる示温インクで丸印が印刷される。このように示温認証情報が記録されたクレジットカード１０では、温度によって表示が変化する認証コード１、２を用いて認証サーバ５０においてカード認証が行われる。
【００２０】
＜情報処理端末＞
情報処理端末３０は、クレジットカード１０のカード認証で使用される認証情報を受け付けて認証サーバ５０に送信する。さらに、情報処理端末３０は、認証サーバ５０が送信した認証結果を出力する。情報処理端末３０は、例えば、スマートフォン、又は、カード決済用のカードリーダである。
【００２１】
図１に示す情報処理端末３０は、情報入力部３１、出力部３２、通信部（図示せず）を備える。情報入力部３１は、クレジットカード１０の認証情報の入力を受け付ける。クレジットカード１０の認証情報は、一般認証情報および示温認証情報である。情報入力部３１は、認証情報の入力を促すために画面（図示せず）を表示制御してもよい。
【００２２】
通信部は、情報入力部３１で受け付けたクレジットカード１０の認証情報を認証サーバ５０に送信し、認証サーバ５０が送信した認証結果を受信する。例えば、出力部３２は、通信部が受信した認証結果をディスプレイ（図示せず）に出力する。
【００２３】
以下、クレジットカードのオンライン決済の際に、クレジットカード１０の示温認証情報を顧客のスマートフォンで受け付ける例を説明する。ここでは、認証情報の中の示温認証情報の受付について説明し、一般認証情報の受付については詳細な説明を省略する。
【００２４】
図３は、示温認証情報の認証コード１を入力するための入力画面を示す図である。図中、スマートフォン３の画面には、認証コード１の選択対象として「１」、「２」、「３」の３つの数字が表示される。顧客は、オンライン決済する際の環境温度でクレジットカード１０に表示される認証コード１の数字を目視し、スマートフォンの画面に表示されている認証コード１の数字を選択してＯＫボタンを押す。スマートフォンは、選択された数字を認証コード１として受け付けるとともに、認証コード２の入力を促す画面を表示する。
【００２５】
図４は、示温認証情報の認証コード２を入力するための入力画面を示す図である。図中、スマートフォン３の画面には、認証コード２の選択対象として「１.茶色」、「２.黄色」、「３.緑色」、「４.青色」の４つの色が表示される。顧客は、クレジットカード１０に表示される認証コード２の色を目視し、スマートフォンの画面に表示されている認証コード２の色を選択してＯＫボタンを押す。スマートフォンは、選択された数字を認証コード２として受け付ける。その後、スマートフォン３は、オンライン決済のカード認証ために認証コード１および認証コード２を示温認証情報として認証サーバに送信する。
【００２６】
なお、図３、図４に示す例は、スマートフォンの画面中の数字または色を選択させることで認証コード１、２を受け付ける例を用いて説明したが、これに限られない。例えば、クレジットカード１０に表示された認証コード１の数字、認証コード２の色をスマートフォンの入力画面に入力させることで、認証コード１、２の示温認証情報を受け付けてもよい。上記スマートフォンへの認証コード１、２の受付は、情報処理端末３０の情報入力部３１の機能に相当する。
【００２７】
＜認証サーバ＞
認証サーバ５０は、情報処理端末３０から受信したクレジットカード１０の認証情報と、データベース６０に格納された認証情報を照合する。認証サーバ５０は、照合した結果を認証結果として情報処理端末３０に送信する。具体的には、認証サーバ５０は、受信したクレジットカード１０の認証情報が、データベース６０に格納されているクレジットカード１０の認証情報と一致しているか否かを照合してカード認証する。例えば、オンライン決済では、カード認証の結果に基づき、クレジットカード１０が利用可能であるか、あるいは、クレジットカード１０の利用者が正当な名義人であるかを確認し、クレジットカード１０による決済可否が決定される。
【００２８】
認証サーバ５０は、クレジットカード１０に対するカード認証のために、第１認証部５１および第２認証部５２を備える。第１認証部５１は、カード番号、有効期限などの一般認証情報を用いてカード認証を実施する。第１認証部５１は、既存のカード認証技術を適用してため詳細な説明は省略する。
【００２９】
第２認証部５２は、示温認証情報を用いてカード認証を実施する。第２認証部５２は、情報取得部５３と照合部５４を備える。情報取得部５３は、クレジットカード１０において温度に応じて表示された示温認証情報を取得する。照合部５４は、情報処理端末３０が送信した示温認証情報とデータベース６０に格納されている示温認証情報を照合する。照合部５４は、クレジットカード１０の示温認証情報とデータベース６０の示温認証情報とが一致ない場合、カード認証が認められない旨の認証結果を生成する。認証結果は通信部を介して情報処理端末３０に送信される。照合部５４は、クレジットカード１０の示温認証情報とデータベース６０の示温認証情報とが一致する場合、カード認証を認める旨の認証結果を生成する。認証結果は、通信部を介して情報処理端末３０に送信される。
【００３０】
＜データベース＞
データベース６０の認証情報は、認証サーバ５０により検索される。データベース６０は、認証サーバ５０がクレジットカード１０のカード認証する際に必要な一般認証情報と示温認証情報を含む認証情報を格納する。図５は、データベース６０に格納される一般認証情報の例を示す表図である。図５に示すデータベース６０には、一般認証情報であるカード番号が名義人名、有効期限、セキュリティコードと関連付けて格納される。
【００３１】
図６は、データベース６０に格納される示温認証情報の例を示す表図である。図６に示すように、示温認証情報として、温度領域ごとに、認証コード１と対応する認証コード２との関係が格納されている。
【００３２】
図６の認証コード１は、温度Ｔ（℃）によって示温インクの色が変化するときに、温度領域ごとにクレジットカード１０に表示される数字を表している。また、認証コード２は、温度領域ごとにクレジットカード１０に表示される色を表している。また、認証コード２において、温度領域ごとに表示される色の組合せとして色ＩＤ（Ｉｄｅｎｔｉｆｉｅｒ）が付与されている。図６の例では、温度Ｔが、「Ｔ＜１５℃」、「１５℃≦Ｔ＜２５℃」、「２５℃≦Ｔ」のときに、表示される色がそれぞれ「黄色」、「緑色」、「青色」である場合を「色ＩＤ：０００１」とし、「赤色」、「黄色」、「緑色」である場合を「色ＩＤ：０００２」とし、あるいは「茶色」、「赤色」、「黄色」である場合を「色ＩＤ：０００３」としている。なお、図６の例では、色の組合せは、色ＩＤは０００１〜０００３の３種類であるが、これに限られない。温度によって色が変化する順番、及び、発色の組み合わせ方によって色ＩＤの数を増やすことが可能である。図６の認証コード２の色ＩＤは、異なる温度領域の認証コード２の集合で構成され、集合内で認証コード２が互いに異なっているとも言える。
【００３３】
図７は、データベース６０に格納されるカード番号と色ＩＤとの関連付けを示す表図である。クレジットカード１０に割り当てる認証コード２の色ＩＤの数は、色ＩＤごとに均一でもよく、偏りを持たせてもよい。また、印刷する示温インクの温度特性、クレジットカード１０が使用される環境温度によって、使用可能な色ＩＤの数が少なくなる場合は、１つの色ＩＤに対するクレジットカード１０への割り当て数を多くしてもよい。
【００３４】
（第１実施形態の動作）
次に、第１実施形態における認証システムの動作について図面を用いて説明する。以下の説明では、商品の購入手続きとして、顧客がスマートフォンを用いてクレジットカードのオンライン決済を行うケースを想定している。この場合、スマートフォン、カード会社のオーソリサーバがそれぞれ情報処理端末３０と認証サーバ５０とに相当する。
【００３５】
図８は、第１実施形態における認証システムの動作を示すフローチャートである。初めに、認証システムにおける情報処理端末３０の動作について説明する。情報入力部３１は、顧客がクレジットカード１０の認証情報を入力する入力画面を表示する。
【００３６】
図９は、クレジットカード１０の認証情報を入力する入力画面を示す図である。図９に示す入力画面において、カード番号と有効期限の欄には、数字が入力される。さらに、クレジットカード１０の認証コード１のうち発色している数字が選択され、クレジットカード１０の認証コード２の色が選択される。入力画面の購入ボタンが押されると、情報入力部３１は、クレジットカード１０の認証情報を受付ける（ステップＳ７１）。情報処理端末３０は、受け付けたクレジットカード１０の認証情報を、通信部（図示せず）を介して認証サーバ５０に送信する（ステップＳ７２）。
【００３７】
図９に示す一般認証情報の入力画面として、上記の他にカードの名義人名、又は、セキュリティコード、カードの暗証番号を入力する欄があってもよい。また、情報処理端末３０の入力画面には、住所、氏名のような購入商品の送付先を入力する欄があってもよい。なお、商品送付先のために入力された氏名は、クレジット決済のためのカード認証には使用されないものとする。
【００３８】
次に、認証システムにおける認証サーバの動作について説明する。認証サーバ５０は、情報処理端末３０から認証情報を含む情報を取得する。認証サーバ５０の第１認証部５１は、情報処理端末３０から送信された情報のうち一般認証情報とデータベース６０に格納された一般認証情報と照合し（ステップＳ７３）、クレジットカード１０の有効性を確認する。例えば、存在しないカード番号、あるいは有効期限が切れているクレジットカードでは、情報処理端末３０から送信された一般認証情報は、データベース６０に格納された一般認証情報と一致しない。第１認証部５１は、送信された一般認証情報がデータベース６０の一般認証情報と一致しない場合（ステップＳ７４のＮｏ）、決済を拒否し（ステップＳ７９）、認証結果を生成して情報処理端末３０に送信する。
【００３９】
なお、第１認証部５１は、一般認証情報が一致してもクレジットカードによる決済を拒否する場合がある。例えば、既存のカード認証技術のように、カード番号に紐づけられた信用情報、又は、クレジットカードの利用限度を超える場合は、クレジットカードの決済は拒否される。
【００４０】
第１認証部５１は、送信された一般認証情報が、データベース６０に格納された一般認証情報と一致すると（ステップＳ７４のＹｅｓ）、第２認証部５２による示温認証情報を用いカード認証を実施する。
【００４１】
第２認証部５２の情報取得部５３は、情報処理端末３０から送信された示温認証情報とデータベース６０に格納された示温認証情報を取得する。例えば、情報取得部５３は、クレジットカード１０のカード番号を用いて、図７に示すデータシートからデータベース６０に格納されたクレジットカード１０のカード番号に関連付けられた色ＩＤを読み出す。次に、情報取得部５３は、色ＩＤと認証コード１をキーにして関連付けられた認証コード２を読み出す。
【００４２】
照合部５４は、送信された示温認証情報とデータベースの示温認証情報と照合する（ステップＳ７５）。例えば、照合部５４は、送信された示温認証情報の認証コード２とデータベース６０に格納された示温認証情報の認証コード２を照合する。
【００４３】
送信された示温認証情報（認証コード２）と、データベース６０から読み出した示温認証情報（認証コード２）が一致しない場合（ステップＳ７６のＮｏ）、照合部５４は、決済を拒否し（ステップＳ７９）、認証結果を生成して情報処理端末３０に送信する。
【００４４】
一方、送信された示温認証情報（認証コード２）と、データベース６０から読み出した示温認証情報（認証コード２）が一致する場合（ステップＳ７６のＹｅｓ）、照合部５４は、決済を許可し（ステップＳ７７）、認証結果を生成して情報処理端末３０に送信する。
【００４５】
情報処理端末３０は、認証サーバ５０からの認証結果を受信すると、情報処理端末３０の出力部は、認証結果をディスプレイに表示出力し（ステップＳ７８、ステップＳ８０）、認証システムによる決済処理が終了する。
【００４６】
図１０、図１１は、情報処理端末３０が受信した認証結果の出力画面を示す図である。出力部３２は、受信した認証結果が決済許可の場合、図１０に示す「購入完了」を表示する。また、出力部３２は、受信した認証結果が決済拒否の場合、図１１に示す「カード情報を確認してください」を表示する。
＜第１実施形態による効果＞
第１実施形態によれば、温度領域ごとに表示される示温認証情報が変化するため、認証装置が認証で照合する示温認証情報を増やすことができる。よって、加熱により同じ示温認証情報が表示される認証装置よりも認証時のセキュリティを向上させることができる。
【００４７】
さらに、第１実施形態では、温度領域ごとに、示温認証情報に含まれる認証コード１と認証コード２の組合せの表示も変化するため、認証装置において、認証情報の認証コードが変化する認証システムよりもさらに認証時のセキュリティを向上させることができる。
【００４８】
第１実施形態の認証システムの例では、決済時にクレジットカードが使用される環境温度に応じて変化する示温認証情報を用いている。このため、クレジットカードを加熱する装置を設置する必要はない。また、示温インクで印刷することでクレジットカードに示温認証情報を付与できるので、示温認証情報によるクレジットカードのカード認証を簡単に実現することができる。
＜第１実施形態の変形例＞
本開示の一態様である認証装置は、第１認証コードと第２認証コードの組合せの表示が温度領域ごとに変化する示温認証情報が印刷された認証情報媒体がある温度で表示する示温認証情報を取得し、かつ、温度領域ごとに変化する示温認証情報を、認証情報媒体ごとに格納するデータベースから、認証情報媒体に関連するある温度における示温認証情報を取得する取得手段と、認証情報媒体がある温度で表示する示温認証情報と、データベースから取得したある温度における示温認証情報を照合する照合手段と、を備える。
【００４９】
上記の態様において、第１認証コード、第２認証コードは、それぞれ第１実施形態の認証コード２、認証コード１に対応する。認証装置は、第１実施形態の第２認証部５２に対応する。取得手段は、認証手段は、それぞれ第１実施形態の情報取得部５３、照合部５４に対応する。認証情報媒体は、第１実施形態のクレジットカード１０に対応する。
【００５０】
第１実施形態において、クレジットカード１０に、示温インクを用いて種々の文字と図形が印字される。示温インクの特性に応じて各温度領域において、文字および図形の視認可能な色は異なる。カード上に示温インクで印字された文字と図形の視認可能な色（認証コード２）が用いられる。
【００５１】
認証コード１は、例えば、クレジットカードを発行する会社ごとに、又は、商品、サービスを提供する会社ごとグループ分けし、同じ発色および消色特性をもつ示温インクを用いて印刷されてもよい。
【００５２】
認証コード２は、例えば、色の変化の特性がカードに関連付けされた色ＩＤ毎に異なる示温インクで印刷されてもよい。カードの認証にはクレジットカードが使用される環境で視認可能な認証コード１、２の表示情報が用いられる。
【００５３】
第１実施形態の示温認証情報認として、認証コード１を数字、認証コード２を色とする例で説明したが、これに限られない。クレジットカード１０に印刷した示温認証情報とデータベース６０に格納される示温認証情報が一致すれば、例えば、認証コード１を色、認証コード２を数字としてもよい。
【００５４】
認証コード１には、ある温度領域でインクが発色または消色する示温インクを用い、インクが発色すると文字が視認可能になることを説明したが、これに限られるものではない。ある温度帯で変色または消色し、他の温度帯で文字を印刷する背景と同じ色に発色するインクを用いて、背景と違う色に変色する、あるいは消色することで文字が視認可能となるようにしてもよい。
【００５５】
認証コード２には色が３段階に変化する１つの示温インクを用いたが、これに限られるものではない。例えば色ＩＤ：０００１のクレジットカード１０に対して、１５℃以下で黄色に発色しその他の温度では消色する示温インクと、１６〜２５℃で緑色に発色し、その他の温度では消色する示温インクとを用いて、認証コード２の色の変化を表現してもよい。
【００５６】
情報処理端末３０の情報入力部３１は、入力画面で数字と色を選択されることで示温認証情報を受け付けているが、これに限られない。情報入力部３１は、情報処理端末３０に内蔵されたカメラでクレジットカードを撮影し、撮影画像に基づいて示温認証情報の入力を受け付けてもよい。
【００５７】
また、第１実施形態の例では、示温インクは、温度領域を３区分に区切って変色するインクを用いて説明しているが、これに限られない。セキュリティレベルを高くする場合、温度領域の区切りは３区分より多くしてもよい。区分数を多くすることである温度領域に対応する色が偶然に一致する確率を下げることができる。
【００５８】
データベース６０は認証サーバ５０に内蔵されていてもよいし、認証サーバ５０の外部あってもよい。また、認証サーバ５０は、第１認証部５１と、第２認証部５２を備えているが、第２認証部５２と第１認証部とは別々の装置で構成されていてもよい。
【００５９】
なお、第１実施形態の認証サーバ５０が認証するカードとしてクレジットカードの例を用いて説明したが、これに限られない。クレジットカード以外にキャッシュカード、金融業又はサービス業等で使用される会員カードのカード認証にも適用できる。
＜第２実施形態＞
第２実施形態における認証サーバ、および、認証サーバを含む認証システムについて図面を用いて説明する。第２実施形態の認証システムは、第１実施形態の認証システムと同様に情報処理端末３０と、認証サーバ５０と、データベース６０を備える。第２実施形態の認証システムは、第1実施形態の認証システムと比較して、示温認証情報の認証コード２の種別が異なる。具体的には、示温認証情報の認証コード２は、色と図形を含む。このため、第２実施形態の認証システムでは、クレジットカードに示温インクで印刷する印刷パターンが変わり、情報処理端末３０では、認証コード２の入力画面で色の他に図形を選択する項目が加えられる。さらに、データベース６０に格納される認証コード２も色の他に図形が加えわる。
【００６０】
図１２は、第２実施形態で用いるクレジットカードに示温インクで印刷する印刷パターンを示す図である。認証コード２の印刷パターンは、丸以外に、三角・四角・星などとして色と図形の組み合わせとする。図１２では説明のために図形の色を文字で表している。図１２に示すように印刷パターンは温度に応じて表示される図形が変化してもよい。
【００６１】
第１の実施形態では、認証コード２において、温度領域ごとに表示される色の組合せとして色ＩＤ（Ｉｄｅｎｔｉｆｉｅｒ）を付与したが、第２の実施形態では、温度領域ごとに表示される色と図形の組合せとしてＣＩＤ（Ｃｏｄｅ  Ｉｄｅｎｔｉｆｉｅｒ）を付与している。また、図形の変化の特性は、クレジットカードに関連付けされるＣＩＤ毎に異なるものとしてもよい。
【００６２】
図１３は、データベース６０に格納される示温認証情報の例を示す表図である。図１３に示す示温認証情報は、温度領域を示す認証コード１と、認証コード１と対応する認証コード２との関係を示している。示温認証情報の認証コード２は、温度領域ごとの色と図形の組合せとなっている。
＜第２実施形態の動作＞
第２実施形態に係る認証システムの動作について、第１実施形態に係る認証システムの動作と異なる点を説明する。第２実施形態に係る認証システムは、情報処理端末３０の情報入力部３１が、認証コード２を選択させて入力を受け付ける際、認証コード２に対する入力画面が色に加えて図形も選択可能となっている。情報処理端末３０は、入力画面で選択された色と図形を認証コード２として認証コード１とともに認証サーバ５０に送信する。認証サーバ５０の照合部５４は、送信された示温認証情報の認証コード２と、データベース６０から読み出した示温認証情報の認証コード２を照合する際、色と共に図形も照合の対象とする。
＜第２実施形態による効果＞
認証コード２の色と図形の組合せを用いる第２実施形態は、認証コード２に色だけを用いる第１実施形態と比較して、送信された示温認証情報とデータベース６０に格納された示温認証情報との照合の際に偶発的に一致する可能性を減少させることができる。これにより、第２実施形態は、第１実施形態よりもセキュリティを向上させることができる。
＜第２実施形態の変形例＞
第２実施形態において、認証コード２は色と図形の組合せの例を説明したが、これに限られない。認証コード２の色は変化せず、形が温度によって変化するよう印刷してもよい。その他に示温インクで印刷するプリントは温度によって、カード上に表示する模様、文字、図形、記号、もしくは色彩、またはこれらの組み合わせが変化するように印刷してもよい。また、認証コード１も認証コード２と同様の変形が可能である。
＜第３実施形態＞
第３実施形態における認証サーバ、および、認証サーバを含む認証システムについて図面を用いて説明する。第３実施形態の認証システムは、図１に示す第１実施形態の認証システムと同様に情報処理端末３０、認証サーバ５０、データベース６０を備える。第３実施形態では、第1実施形態と比較して、クレジットカードで表示される示温認証情報のうち、認証コード２の表示方法が異なっている。
【００６３】
図１４は、第３実施形態で用いるクレジットカードに示温インクで印刷する印刷パターンを示す図である。第３実施形態では、クレジットカードに認証コード２として３種類の数列が示温インク以外のインクで印刷され、その上に３種類の温度特性を持つ示温インクが３種類の数列をそれぞれ覆うように塗布される。このため、第３実施形態のクレジットカードでは、温度に応じて示温インクで印刷された印刷パターンが発色、又は、消色されることになり、クレジットカードに表示される数列が変化する。
【００６４】
第３実施形態の例では、クレジットカードの他に、情報処理端末３０では、認証コード２の入力画面が数列を入力又は選択する項目となる。さらに、データベース６０に格納される認証コード２も数列となる。
【００６５】
図１５は、第３実施形態のデータベース６０に格納される示温認証情報の一例を示す図である。第３実施形態のデータベース６０は、クレジットカードとＣＩＤ（Ｃｏｄｅ  ｉｄｅｎｔｉｆｉｅｒ）との関連付けを示すデータシートが格納され、さらに、図１５に示す温度領域ごとの認証コード１の数字と、認証コード２の数列の組が示温認証情報として格納されている。
＜第３実施形態の動作＞
第３実施形態に係る認証システムの動作について、第１実施形態に係る認証システムの動作と異なる点を説明する。第３実施形態に係る認証システムは、情報処理端末３０の情報入力部３１が、認証コード２を選択させて入力を受け付ける際、認証コード２に対する入力画面が数列を入力又は選択可能となっている。情報処理端末３０は、入力画面で入力又は選択された数列を認証コード２として認証コード１とともに認証サーバ５０に送信する。認証サーバ５０の照合部５４は、送信された示温認証情報の認証コード２と、データベース６０から読み出した示温認証情報の認証コード２の数列を照合の対象とする。
＜第３実施形態による効果＞
第３実施形態では、クレジットカードに印刷する示温認証情報として、示温インクによる発色、消色を利用して温度に応じて下地に印刷した数列を表示させている。このため、第３実施形態は、第１実施形態と比較して示温インクの色の種類を増やすことなく温度によって視認可能な示温認証情報を表示できる。
＜第３実施形態の変形例＞
第３実施形態において、認証コード２の数列の入力は顧客が操作する情報処理端末３０の入力画面を用いて行ってよく、情報処理端末３０に内蔵されたカメラを用いて認証コード２の数列を撮影して入力されてもよい。例えば、カメラを用いて数字又は文字の認証コード１、２を取得する場合、情報処理端末３０は、文字認識機能を用いて認証コードを認識する。
＜第４実施形態＞
第１実施形態における認証サーバ、および、認証サーバを含む認証システムについて図面を用いて説明する。第４実施形態の認証システムは、図１に示す第１実施形態の認証システムと同様に情報処理端末３０、認証サーバ５０、データベース６０を備える。
【００６６】
図１６は、第４実施形態の情報処理端末３０の構成の一例を示すブロック図である。第４実施形態の情報処理端末３０は、第1実施形態と比較して、温度センサー４０を備える点で異なる。第１から第３実施形態において、示温インクで印刷されている認証コード１は、クレジットカード自体もしくは近辺の環境の温度を表している。第４実施形態の認証システムにおいて、クレジットカード１０の示温認証情報として認証コード１の代わりに、クレジットカード１０の環境の温度情報を出力する温度センサー４０が用いられる。温度センサー４０は、例えば、クレジットカード１０とほぼ同じ温度環境に置かれる情報処理端末３０に内蔵されているものとする。情報処理端末３０の一例は、スマートフォンである。第４実施形態のクレジットカード１０において、認証コード１に相当する印刷パターンが無くてもよい。
【００６７】
図１７、図１８は、第４実施形態のデータベース６０に格納された示温認証情報の一例を示す図である。図１７に示すデータベース６０に格納された認証コード２は、図６に示す第１実施形態のデータベース６０に格納された認証コード２と同様である。図１７の例では、認証コード１の代わりに温度領域を示す読取り温度値が関連付けされている。
【００６８】
図１８に示すデータベース６０に格納された認証コード２は、図１３に示す第２実施形態のデータベース６０に格納された認証コード２と同様である。図１８の例では、認証コード１の代わりに温度領域を示す読取り温度値が関連付けされている。
＜第４実施形態の動作＞
次に、第４実施形態に係る認証システムの動作について図面を用いて説明する。第４実施形態に係る認証システムの動作の説明では、第１実施形態の認証システムと同様な動作については説明を省略する。
【００６９】
図１９は、第４実施形態における認証システムの動作を示すフローチャートである。第４実施形態の認証システムにおける情報処理端末３０の動作について説明する。情報入力部３１は、顧客がクレジットカード１０の認証情報を入力する入力画面を表示する。
【００７０】
図２０は、第４実施形態の情報処理端末３０における入力画面を示す図である。図１９に示す第４実施形態の入力画面は、図９に示す第１実施形態の入力画面から認証コード１の項目が削除されている。他の入力画面は第１実施形態の入力画面と同様である。
【００７１】
情報入力部３１は、クレジットカード１０の認証情報を受付ける（ステップＳ１７１）。情報処理端末３０は、受け付けたクレジットカード１０の認証情報を、通信部（図示せず）を介して認証サーバ５０に送信する（ステップＳ１７２）。さらに、情報処理端末３０の温度センサー４０は、クレジットカードの温度、又は、カード周囲の環境温度を測定する。情報処理端末３０は、測定した温度を温度情報として、通信部（図示せず）を介して認証サーバ５０に送信する（ステップＳ１７２Ａ）。
【００７２】
次に、認証システムにおける認証サーバの動作について説明する。認証サーバ５０は、情報処理端末３０から認証情報を含む情報を取得する。認証サーバ５０の第１認証部５１に関連するステップＳ１７３、ステップＳ１７４については説明を省略する。
【００７３】
第２認証部５２の情報取得部５３は、情報処理端末３０から送信された示温認証情報とデータベース６０に格納された示温認証情報を取得する。例えば、情報取得部５３は、クレジットカード１０のカード番号を用いて、図７に示すデータシートからデータベース６０に格納されたクレジットカード１０のカード番号に関連付けられた色ＩＤを読み出す。次に、情報取得部５３は、この色ＩＤと温度情報をキーにして関連付けられた認証コード２を読み出す。
【００７４】
照合部５４は、送信された示温認証情報とデータベースの示温認証情報と照合する（ステップＳ１７５）。例えば、照合部５４は、送信された示温認証情報の認証コード２とデータベース６０に格納された示温認証情報の認証コード２を照合する。この後の動作は、第１実施形態の認証システムの動作と同様のため詳細な説明は省略する。
＜第４実施形態による効果＞
第４実施形態の認証サーバは、第１から第３実施形態における認証コード１の代わりに温度センサー４０で測定した温度情報を用いてカードを認証する。第１実施形態の認証システムの場合、クレジットカード１０に表示された示温認証情報を第三者がショルダーハッキングし、盗んだ示温認証情報を使ってクレジットカード１０のオンライン決済が実施される可能性がある。これに対して、第４実施形態の認証システムは、盗んだ示温認証情報を使った場合でも、異なる温度領域では入力される表示情報が温度センサー４０の温度読み取り値に関連付けられたデータベース情報と対応しないため、正当なユーザであると判定されない。このように第４実施形態の認証システムは、第１実施形態の認証システムと比べてセキュリティをより強固にできる。また情報処理端末３０の入力画面に表示する認証コードの項目数を減らすことができ、オンライン決済における顧客の利便性を向上させることができる。
＜第４実施形態の変形例＞
第４実施形態について、クレジットカードに印刷された認証コード２が温度に応じて色が変化する例を用いて説明したが、これに限られない。例えば、第２実施形態、及び、第３実施形態のような認証コード２を使うこともできる。
【００７５】
情報処理端末３０に内蔵された温度センサー４０の例を用いて説明したが、これに限られない。温度センサー４０は、情報処理端末３０と通信可能に接続された外部装置に内蔵された構成でもよい。外部装置は、温度センサー４０が測定した温度を温度情報として情報処理端末３０に送信する。なお、外部装置は、情報処理端末３０の代わりに測定した温度を温度情報として認証サーバ５０に送信してもよい。
【００７６】
また、外部装置が、測定した温度情報が表示されるディスプレイを備え、情報処理端末３０のカメラを有する場合、情報処理端末３０は、表示された温度情報をカメラで撮影することで温度情報を取得し、認証サーバ５０に送信する構成としてもよい。
＜第５実施形態＞
第５実施形態における認証サーバ、および、認証サーバを含む認証システムについて図面を用いて説明する。第５実施形態は、認証システムの情報処理端末としてクレジットカードの情報を読み取るカードリーダを用いた認証システムの例である。第５実施形態の認証システムは、第１実施形態と情報処理端末３０、認証サーバ５０の構成が相違する。また、第５実施形態のクレジットカード１０は、第１実施形態のクレジットカード１０と同様に認証情報として一般認証情報と示温認証情報を有する。一般認証情報は、クレジットカード１０に設けられた記録媒体（図示せず）に記録され、カードリーダによって読取り可能であるとする。記録媒体は、例えば、ＩＣチップ、又は、磁気テープである。
【００７７】
図２１は、第５実施形態における情報処理端末の構成の一例を示すブロック図である。第５実施形態の情報処理端末３０は、情報入力部３１、通信部（図示せず）、出力部３２に加え、温度制御装置４１と色センサー４２を備える。
【００７８】
情報入力部１３１は、クレジットカード１０の認証情報の入力を受け付ける。クレジットカード１０の認証情報は、一般認証情報および示温認証情報である。情報入力部１３１は、認証情報の入力を促すために画面（図示せず）を表示制御してもよい。さらに、情報入力部１３１は、クレジットカード１０に設けられた記録媒体に記録された一般認証情報を読み取るカードリーダ機能を有する。情報入力部１３１は、カードリーダ機能でクレジットカード１０の一般認証情報を受付ける場合、一般認証情報の入力を促すための入力画面（カード番号、名義人名、有効期限などの入力欄）は表示しない。情報入力部３１は、一般認証情報とは別に、商品の決済金額、支払回数などの決済情報を受け付けてもよい。
【００７９】
温度制御装置４１は、示温認証情報が印刷されたクレジットカード１０の温度を変更する機能を有する。温度制御装置４１による温度は、例えば、ペルチェ素子によって制御される。温度制御装置４１は、クレジットカード１０ごとに予め定められた温度となるようにクレジットカード１０の温度を変更する。なお、温度制御装置４１は、認証サーバ５０から指示を受け付けて、クレジットカード１０を指示された温度にしてもよい。
【００８０】
色センサー４２は、クレジットカード１０に印刷された示温認証情報（認証コード１、２）の表示（例えば、数字、色、図形）を検出して受け付ける。通信部は、情報入力部１３１で受け付けたクレジットカード１０の認証情報を認証サーバ５０に送信し、認証サーバ５０が送信した認証結果を受信する。出力部３２は、通信部が受信した認証結果を出力する。例えば、出力部３２は、ディスプレイ（図示せず）に認証結果を出力する。
【００８１】
認証サーバ５０は、一般認証情報を用いてカード認証を実施する第１認証部５１、および、温認証情報を用いてカード認証を実施する第２認証部５２を備える。第２認証部５２は、情報取得部５３と照合部５４を備える。これらの機能は、第１実施形態の認証サーバ５０と同様である。第５実施形態の情報取得部５３は、更に、情報処理端末１３０の温度制御装置４１に対してクレジットカード１０の温度変更を指示する。
【００８２】
照合部５４は、情報処理端末３０が送信した示温認証情報とデータベース６０に格納されている示温認証情報を照合する。照合部５４は、クレジットカード１０の示温認証情報とデータベース６０の示温認証情報とが一致ない場合、カード認証が認められない旨の認証結果を生成する。認証結果は通信部を介して情報処理端末３０に送信される。照合部５４は、クレジットカード１０の示温認証情報とデータベース６０の示温認証情報とが一致する場合、カード認証を認める旨の認証結果を生成する。認証結果は、通信部を介して情報処理端末３０に送信される。
【００８３】
なお、第５実施形態で顧客が使用するクレジットカードは、記録媒体（磁気テープ、又は、ＩＣチップ）を備え、磁気テープ、又はＩＣチップには、クレジットカードの一般認証情報が記録されているものとする。
＜第５実施形態の動作＞
次に、第５実施形態における認証システムの動作について図面を用いて説明する。
【００８４】
図２２は、第５実施形態における認証システムの動作の一例を示すフローチャートである。ＩＣチップを有するクレジットカード１０が、情報処理端末１３０（カードリーダ）にセットされると、情報入力部１３１は、ＩＣチップから読み取ったクレジットカード１０の一般認証情報を受け付ける（Ｓ２０１）。情報処理端末１３０は、通信部を介して受け付けた一般認証情報を認証サーバ５０に送信する（ステップＳ２０２）。
【００８５】
認証サーバ５０の第１認証部５１は、送信された一般認証情報とデータベース６０の一般認証情報とを照合する（ステップＳ２０３）。データベース６０の一般認証情報と一致しない場合、第１認証部５１は、送信された一般認証情報がデータベース６０の一般認証情報と一致しない場合（ステップＳ２０４のＮｏ）、決済を拒否し（ステップＳ２１１）、認証結果を生成して情報処理端末１３０に送信する。
【００８６】
第１認証部５１は、送信された一般認証情報が、データベース６０に格納された一般認証情報と一致すると（ステップＳ２０４のＹｅｓ）、第２認証部５２によるカード認証が開始される。第２認証部５２の情報取得部５３は、情報処理端末１３０（カードリーダ）の温度制御装置４１に温度変更を指示する（ステップＳ２０５）。
【００８７】
情報処理端末１３０の温度制御装置４１は、クレジットカード１０を指示された温度となるように温度制御する。情報処理端末１３０の色センサー４２は、クレジットカード１０を撮像して指示された温度における示温認証情報（認証コード１、２）を取得する。
【００８８】
温度制御装置４１は、内蔵されたペルチェ素子を用いてクレジットカード１０の温度を認証サーバ５０ら指示された温度に制御する。色センサー４２は、指示された温度になったところで、示温認証情報である認証コード２の色を読み取る。情報処理端末１３０は、読み取った色を示温認証情報として認証サーバ５０に送信する（ステップＳ２０６）。
【００８９】
認証サーバ５０の情報取得部５３は、データベース６０に格納されているクレジットカード１０のカード番号に関連付けられた色ＩＤを読み出す。さらに、情報取得部５３は、読み出した色ＩＤと指示した温度（Ｔ℃）に関連付けられた認証コード２を読み出す。照合部５４は、送信された示温認証情報（認証コード２）とデータベース６０の示温認証情報（認証コード２）を照合する（ステップＳ２０７）。
【００９０】
照合部５４は、送信された示温認証情報（認証コード２）がデータベース６０の示温認証情報（認証コード２）と一致しない場合（ステップＳ２０８のＮｏ）、決済を拒否し（ステップＳ２１１）、認証結果を生成して情報処理端末１３０に送信する。
【００９１】
一方、送信された示温認証情報（認証コード２）と、データベース６０から読み出した示温認証情報（認証コード２）が一致する場合（ステップＳ２０８のＹｅｓ）、照合部５４は、決済を許可し（ステップＳ２０９）、認証結果を生成して情報処理端末１３０に送信する。
【００９２】
情報処理端末３０は、認証サーバ５０からの認証結果を受信すると、情報処理端末３０の出力部は、認証結果をディスプレイに表示出力し（ステップＳ２１０、ステップＳ２１１）、認証システムによる決済処理が終了する。
＜第５実施形態による効果＞
第５実施形態のように、情報処理端末３０としてカードリーダを用いることで、クレジットカード１０の一般認証情報だけではなく、示温認証情報を認証サーバ５０に送信することができる。第５実施形態の認証システムでは、情報処理端末３０は、クレジットカード１０の温度を認証サーバ５０によって指定された温度に制御し、指定された温度で表示される示温認証情報を検出して認証サーバ５０に送信する。これにより、認証サーバ５０が指定した温度で表示されるクレジットカード１０の示温認証情報とデータベース６０の指定された温度における示温認証情報を照合することができる。これにより、認証サーバ５０は、認証時に指定した温度による異なる示温認証情報を用いた照合が可能になり、認証時のセキュリティを向上させることができる。
＜第５実施形態の変形例＞
なお、上記動作の説明ではステップＳ２０５〜Ｓ２０８は１回のみ行ったが、高額な取引などカードが不正利用された場合に被害が大きくなる場合は、ステップＳ２０５〜Ｓ２０８を複数回繰り返してもよい。複数の温度領域での認証コード２の表示情報をデータベース情報と照合することで、より高いセキュリティを得ることができる。
【００９３】
一方で、クレジットカード１０のカード認証が少額な取引の場合、ステップＳ２０３〜Ｓ２０５を省略し、カード認証の処理にかかる時間を短縮することも可能である。
【００９４】
第５実施形態において示温認証情報として１種類のコードを用いたが、より多くの種類のコードを用いてもよい。
【００９５】
クレジットカード１０の示温認証情報は、例えば、示温インクの印刷パターンを変える、あるいは、温度特性が別の示温インクを使って再印刷することで変更可能となる。クレジットカード１０の示温認証情報を変更する場合、データベース６０に格納する示温識別情報も合わせて書き換える必要がある。クレジットカードを利用する度に示温認証情報を変更することで、前回使用した示温認証情報が漏洩したとしても、漏洩した示温認証情報は、次回使用時にカード認証されなくなり、より高いセキュリティを担保することができる。
【００９６】
（ハードウェア構成）
上述した各実施形態において、各装置（情報処理端末３０、認証サーバ５０等）の各構成要素は、機能単位のブロックを示している。各装置の各構成要素の一部又は全部は、コンピュータとプログラムとの任意の組み合わせにより実現されてもよい。
【００９７】
図２３は、コンピュータ５００のハードウェア構成の例を示すブロック図である。図２３を参照すると、コンピュータ５００は、例えば、ＣＰＵ（Ｃｅｎｔｒａｌ  Ｐｒｏｃｅｓｓｉｎｇ  Ｕｎｉｔ）５０１、ＲＯＭ（Ｒｅａｄ  Ｏｎｌｙ  Ｍｅｍｏｒｙ）５０２、ＲＡＭ（Ｒａｎｄｏｍ  Ａｃｃｅｓｓ  Ｍｅｍｏｒｙ）５０３、プログラム５０４、記憶装置５０５、ドライブ装置５０７、通信インタフェース５０８、入力装置５０９、出力装置５１０、及び、バス５１２を含む。
【００９８】
プログラム５０４は、各装置の各機能を実現するための命令（ｉｎｓｔｒｕｃｔｉｏｎ）を含む。プログラム５０４は、予め、ＲＯＭ５０２やＲＡＭ５０３、記憶装置５０５に格納される。ＣＰＵ５０１は、プログラム５０４に含まれる命令を実行することにより、各装置の各機能を実現する。例えば、認証サーバ５０のＣＰＵ５０１がプログラム５０４に含まれる命令を実行することにより、第１認証部５１、第２認証部５２の機能を実現する。また、ＲＡＭ５０３は、各装置の各機能において処理されるデータを一時的に記憶してもよい。例えば、認証サーバ５０のＲＡＭ５０３が、データベース６０のデータを記憶してもよい。
【００９９】
ドライブ装置５０７は、記録媒体５０６の読み書きを行う。通信インタフェース５０８は、通信ネットワークとのインタフェースを提供する。入力装置５０９は、例えば、マウスやキーボード等であり、顧客又は従業員等からの情報の入力を受け付ける。出力装置５１０は、例えば、ディスプレイであり、顧客又は従業員等へ情報を出力（表示）する。入出力インタフェース５１１は、周辺機器とのインタフェースを提供する。情報処理端末３０の場合、入出力インタフェース５１１には、上述のカメラ、バーコードリーダ、タグリーダライタ、及び、カードリーダライタ１１８が接続されてもよい。バス５１２は、これらハードウェアの各構成要素を接続する。なお、プログラム５０４は、通信ネットワークを介してＣＰＵ５０１に供給されてもよいし、予め、記録媒体５０６に格納され、ドライブ装置５０７により読み出され、ＣＰＵ５０１に供給されてもよい。
【０１００】
なお、図２３に示されているハードウェア構成は例示であり、これら以外の構成要素が追加されていてもよく、一部の構成要素を含まなくてもよい。
【０１０１】
各装置の実現方法には、様々な変形例がある。例えば、各装置は、構成要素毎にそれぞれ異なるコンピュータとプログラムとの任意の組み合わせにより実現されてもよい。また、各装置が備える複数の構成要素が、一つのコンピュータとプログラムとの任意の組み合わせにより実現されてもよい。
【０１０２】
また、各装置の各構成要素の一部または全部は、プロセッサ等を含む汎用または専用の回路（ｃｉｒｃｕｉｔｒｙ）や、これらの組み合わせによって実現されてもよい。これらの回路は、単一のチップによって構成されてもよいし、バスを介して接続される複数のチップによって構成されてもよい。各装置の各構成要素の一部又は全部は、上述した回路等とプログラムとの組み合わせによって実現されてもよい。
【０１０３】
また、各装置の各構成要素の一部又は全部が複数のコンピュータや回路等により実現される場合、複数のコンピュータや回路等は、集中配置されてもよいし、分散配置されてもよい。
【０１０４】
なお、各実施形態において、上述した一連の処理を記述するステップは、記載された順序に沿って時系列的に行われる処理はもちろん、必ずしも時系列的に処理されなくとも、並列的あるいは個別に実行される処理をも含むものである。
【０１０５】
上述した各実施形態は本発明を具体化した一例に過ぎず、特許請求の範囲に記載された本開示の趣旨の範囲内であれば、種々変更することができるものである。
【０１０６】
上記の実施形態の一部又は全部は、以下の付記のようにも記載されうるが、以下には限られない。
【符号の説明】
【０１０７】
１０    クレジットカード
３０、１３０    情報処理端末
３１、１３１    情報入力部
３２    出力部
４０    温度センサー
４１    温度制御装置
４２    色センサー
５０    認証サーバ
５１    第１認証部
５２    第２認証部
５３    情報取得部
５４    照合部
６０    データベース
【図１】
2020135789.tif 000003
【図２Ａ】
2020135789.tif 000004
【図２Ｂ】
2020135789.tif 000005
【図２Ｃ】
2020135789.tif 000006
【図３】
2020135789.tif 000007
【図４】
2020135789.tif 000008
【図５】
2020135789.tif 000009
【図６】
2020135789.tif 000010
【図７】
2020135789.tif 000011
【図８】
2020135789.tif 000012
【図９】
2020135789.tif 000013
【図１０】
2020135789.tif 000014
【図１１】
2020135789.tif 000015
【図１２】
2020135789.tif 000016
【図１３】
2020135789.tif 000017
【図１４】
2020135789.tif 000018
【図１５】
2020135789.tif 000019
【図１６】
2020135789.tif 000020
【図１７】
2020135789.tif 000021
【図１８】
2020135789.tif 000022
【図１９】
2020135789.tif 000023
【図２０】
2020135789.tif 000024
【図２１】
2020135789.tif 000025
【図２２】
2020135789.tif 000026
【図２３】
2020135789.tif 000027